(57)【要約】  【課題】簡単な構造で例えば、近づいて来た動物を非常に有効に駆逐し、あるいは植物の成長を促す。  【解決手段】基板１１０上に熱絶縁層１１１を設けてこの熱絶縁層１１１上に発熱体薄膜１１２を設けることにより形成される超音波発生素子１１と、この超音波発生素子１１の発熱体薄膜１１２に接続される信号源１２とを備えた。信号源１２は、周波数可変の電気信号を発熱体薄膜１１２に加えてこれを駆動することにより、電気信号の周波数に応じた周波数の超音波を発熱体薄膜１１２の表面から発生させる。【選択図】図１
2004153797.tif 000002
【特許請求の範囲】
【請求項１】
基板上に熱絶縁層を設けてこの熱絶縁層上に発熱体薄膜を設けることにより形成される超音波発生素子と、この超音波発生素子の発熱体薄膜に接続される信号源とを備え、この信号源は、周波数可変の電気信号を前記発熱体薄膜に加えてこれを駆動することにより、前記電気信号の周波数に応じた周波数の超音波を前記発熱体薄膜表面から発生させることを特徴とする超音波発生装置。
【請求項２】
前記信号源は、前記発熱体薄膜表面から植物の成長促進用周波数の超音波を発生させるための周波数の電気信号を、前記発熱体薄膜に加えることを特徴とする請求項１記載の超音波発生装置。
【請求項３】
前記信号源は、前記発熱体薄膜表面から動物駆逐用周波数の超音波を発生させるための周波数の電気信号を、前記発熱体薄膜に加えることを特徴とする請求項１記載の超音波発生装置。
【請求項４】
前記動物駆逐用周波数は、コウモリが発する超音波の周波数に対応することを特徴とする請求項３記載の超音波発生装置。
【請求項５】
前記コウモリが発する超音波の周波数は、３０ｋＨｚ近辺，６０ｋＨｚ近辺，９０ｋＨｚ近辺，１２０ｋＨｚ近辺の周波数を含み、これら周波数の各々が５〜３０ｋＨｚの周波数だけ連続的に減少する特性を有し、前記動物駆逐用周波数は、３０ｋＨｚ近辺，６０ｋＨｚ近辺，９０ｋＨｚ近辺，１２０ｋＨｚ近辺の周波数のうち少なくとも６０ｋＨｚ近辺の周波数を含み、少なくともこの周波数から５〜３０ｋＨｚの周波数だけ連続的に減少することを特徴とする請求項４記載の超音波発生装置。
【請求項６】
前記発熱体薄膜表面からの超音波の送波方向を切り換える切換手段を備えることを特徴とする請求項１から５のいずれかに記載の超音波発生装置。
【請求項７】
前記超音波発生素子は、基板上に複数の熱絶縁層を設けてこれら複数の熱絶縁層上にそれぞれ複数の発熱体薄膜を設けたアレイ構造になっており、前記信号源は、前記アレイ構造の超音波発生素子における各発熱体薄膜への電気信号の位相を制御することにより、前記各発熱体薄膜表面から発生する各超音波同士で互いに強め合う合成波の波面の進行方向を切り換えることを特徴とする請求項１から６のいずれかに記載の超音波発生装置。
【請求項８】
屋外に設置される照明器具であって、請求項１から７のいずれかに記載の超音波発生装置と、光源と、この光源を駆動して点灯する点灯装置とを備えたことを特徴とする照明器具。
【請求項９】
前記超音波発生装置は、前記超音波発生素子が超音波を送波する方角からの超音波を受波する超音波受波部を備え、この超音波受波部によって前記超音波発生素子からの超音波の反射波を受波すれば、周囲に物体が存在していることを検知することを特徴とする請求項８記載の照明器具。
【請求項１０】
前記超音波発生素子は、基板上に複数の熱絶縁層を設けてこれら複数の熱絶縁層上にそれぞれ複数の発熱体薄膜を設けたアレイ構造になっており、前記信号源が、前記アレイ構造の超音波発生素子における各発熱体薄膜への電気信号の位相を制御することにより、前記各発熱体薄膜表面から発生する各超音波同士で互いに強め合う合成波の波面の進行方向を切り換え、この進行方向が切り換えられた超音波の反射波を前記超音波受波部で受波することにより、周囲の物体の走査を行い、この走査結果が周囲に物体が存在することを示すものであれば、前記信号源が、前記発熱体薄膜表面から動物駆逐用周波数の超音波を発生させるための周波数の電気信号を、前記発熱体薄膜に加えることを特徴とする請求項９記載の照明器具。
【請求項１１】
蛾の行動抑制用の発光部を備えた照明器具であって、超音波の波形パターンを記憶する超音波波形記憶部、この超音波波形記憶部に記憶された波形パターンに応じて超音波の波形信号を生成する信号発生部、およびこの信号発生部により生成された波形信号に応じて超音波を発生して出力する超音波発生部により構成される超音波発生装置と、前記発光部の点灯により前記超音波発生装置の超音波の出力タイミングを制御する制御部とを設け、前記超音波波形記憶部にコウモリが発信する超音波の波形パターンと略同一の波形パターンを記憶したことを特徴とする照明器具。
【請求項１２】
前記超音波発生部は熱誘起音源を含み、前記信号発生部の超音波の周波数が目的とする周波数の１／２倍に設定されることを特徴とする請求項１１記載の照明器具。
【請求項１３】
前記超音波発生部は熱誘起音源を含み、前記信号発生部は平方根回路を含むことを特徴とする請求項１１記載の照明器具。
【請求項１４】
前記超音波発生装置は、基本波形を周波数変調した超音波を発信することを特徴とする請求項１１から１３のいずれかに記載の照明器具。
【請求項１５】
前記超音波発生装置は、基本波形を振幅変調した超音波を発信することを特徴とする請求項１１から１３のいずれかに記載の照明器具。
【請求項１６】
前記超音波発生装置は、基本波の音圧が時系列的に増大する超音波を発信することを特徴とする請求項１１から１３のいずれかに記載の照明器具。
【請求項１７】
前記超音波発生部の音源サイズが超音波の波長よりも短く、その超音波発生部にホーンが具備されていることを特徴とする請求項１１から１６のいずれかに記載の照明器具。
【発明の詳細な説明】
【技術分野】
【０００１】
本発明は、基板上に熱絶縁層を設けてこの熱絶縁層上に発熱体薄膜を設けることにより形成される超音波発生素子などを含む超音波発生装置およびこれを備えた照明器具に関するものである。
【背景技術】
【０００２】
従来、超音波発生装置が種々開発され様々な分野で利用されている。例えば、特開平５−２８９６８３号公報（特許文献１）には、疑似的に生成された超音波コウモリ音声を、同一振幅レベルで間欠的に放射する出力モードと、コウモリ音声を所定のレベル範囲内において、所定のタイミングで鋸歯状に漸増させながら繰返し放射する出力モードとに切換えてコウモリ音声を発生させる疑似コウモリ音声発生方法が記載され、特に２５〜４０ｋＨｚの超音波の乗った鋸歯状波が、蛾の近接を防ぐのに有効であるとされている。
【０００３】
この種の超音波発生装置では、圧電効果または磁歪効果により機械的振動を発生させる超音波音源が使用される。例えば、円板上にチタン酸バリウムを焼結して両面に電極を焼き付けた圧電セラミック構造の振動発生素子では、電極間に超音波電気信号を印加したとき、機械的振動が発生し、この振動が空気などの媒体に作用して超音波が生じる。
【０００４】
しかし、この種の超音波音源は、固有の共振周波数を持つことになるため、発生する超音波の周波数帯域が狭く、また可変周波数の構成をとることが困難である。
【０００５】
この問題を解決することができるものに、特開平７−１０７８９３号公報（特許文献２）に記載された有害動物駆除装置がある。この有害動物駆除装置は、超音波の周波数が固定周波数であることに鑑みてなされたものであり、それぞれ異なる周波数帯域を有する複数の超音波送波器などを備え、これらのうちから少なくとも１つの超音波送波器を選択して駆動する構成になっている。
【０００６】
なお、特開平７−１９７９１号公報（特許文献３）には、収束した熱交換器の外側に設置した外筒上を左右上下に密着スライドしながら超音波発信器より超音波を放射し洗浄することを特徴とする超音波による熱交換器の洗浄方法が記載されている。
【特許文献１】特開平５−２８９６８３号公報
【特許文献２】特開平７−１０７８９３号公報
【特許文献３】特開平７−１９７９１号公報
【特許文献４】特開平１１−３００２７４号公報
【発明の開示】
【発明が解決しようとする課題】
【０００７】
しかしながら、上記特開平７−１０７８９３号公報に記載された装置では、複数の超音波送波器を備える必要があり、また複雑なドライブ回路や信号処理回路が必要となる。
【０００８】
本発明は、上記事情に鑑みてなされたものであり、簡単な構造で例えば、近づいて来た動物を非常に有効に駆逐したり、あるいは植物の成長を促したりすることができる超音波発生装置および照明器具を提供することを目的とする。
【課題を解決するための手段】
【０００９】
上記課題を解決するための請求項１記載の発明の超音波発生装置は、基板上に熱絶縁層を設けてこの熱絶縁層上に発熱体薄膜を設けることにより形成される超音波発生素子と、この超音波発生素子の発熱体薄膜に接続される信号源とを備え、この信号源は、周波数可変の電気信号を前記発熱体薄膜に加えてこれを駆動することにより、前記電気信号の周波数に応じた周波数の超音波を前記発熱体薄膜表面から発生させることを特徴とする。
【００１０】
この構成では、信号源の周波数を変化させると、その周波数の変化に応じて超音波の周波数が変化するから、複数の超音波発生装置を備える必要のない簡単な構造で、例えば、近づいて来た動物を非常に有効に駆逐したり、あるいは植物の成長を促したりすることができる。
【００１１】
請求項２記載の発明は、請求項１記載の超音波発生装置において、前記信号源は、前記発熱体薄膜表面から植物の成長促進用周波数の超音波を発生させるための周波数の電気信号を、前記発熱体薄膜に加えることを特徴とする。この構成では植物の成長を促進することができる。
【００１２】
請求項３記載の発明は、請求項１記載の超音波発生装置において、前記信号源は、前記発熱体薄膜表面から動物駆逐用周波数の超音波を発生させるための周波数の電気信号を、前記発熱体薄膜に加えることを特徴とする。この構成では動物を駆逐することができる。
【００１３】
請求項４記載の発明は、請求項３記載の超音波発生装置において、前記動物駆逐用周波数は、コウモリが発する超音波の周波数に対応することを特徴とする。この構成では、コウモリを天敵とする動物を駆逐することができる。
【００１４】
請求項５記載の発明は、請求項４記載の超音波発生装置において、前記コウモリが発する超音波の周波数は、３０ｋＨｚ近辺，６０ｋＨｚ近辺，９０ｋＨｚ近辺，１２０ｋＨｚ近辺の周波数を含み、これら周波数の各々が５〜３０ｋＨｚの周波数だけ連続的に減少する特性を有し、前記動物駆逐用周波数は、３０ｋＨｚ近辺，６０ｋＨｚ近辺，９０ｋＨｚ近辺，１２０ｋＨｚ近辺の周波数のうち少なくとも６０ｋＨｚ近辺の周波数を含み、少なくともこの周波数から５〜３０ｋＨｚの周波数だけ連続的に減少することを特徴とする。この構成では、コウモリを天敵とする動物を駆逐することができる。
【００１５】
請求項６記載の発明は、請求項１から５のいずれかに記載の超音波発生装置において、前記発熱体薄膜表面からの超音波の送波方向を切り換える切換手段を備えることを特徴とする。この構成では、指向性の鋭い特性を有する超音波発生装置の超音波送波範囲を拡大することができる。
【００１６】
請求項７記載の発明は、請求項１から６のいずれかに記載の超音波発生装置において、前記超音波発生素子は、基板上に複数の熱絶縁層を設けてこれら複数の熱絶縁層上にそれぞれ複数の発熱体薄膜を設けたアレイ構造になっており、前記信号源は、前記アレイ構造の超音波発生素子における各発熱体薄膜への電気信号の位相を制御することにより、前記各発熱体薄膜表面から発生する各超音波同士で互いに強め合う合成波の波面の進行方向を切り換えることを特徴とする。この構成では、指向性の鋭い特性を有する超音波発生装置の超音波送波範囲を実質的に拡大することができる。
【００１７】
請求項８記載の発明は、屋外に設置される照明器具であって、請求項１から７のいずれかに記載の超音波発生装置と、光源と、この光源を駆動して点灯する点灯装置とを備えたことを特徴とする。この構成では、例えば近づいて来た動物を非常に有効に駆逐することができる。
【００１８】
請求項９記載の発明は、請求項８記載の照明器具において、前記超音波発生装置は、前記超音波発生素子が超音波を送波する方角からの超音波を受波する超音波受波部を備え、この超音波受波部によって前記超音波発生素子からの超音波の反射波を受波すれば、周囲に物体が存在していることを検知することを特徴とする。この構成では、例えば近づいて来た動物を検知することができる。
【００１９】
請求項１０記載の発明は、請求項９記載の照明器具において、前記超音波発生素子は、基板上に複数の熱絶縁層を設けてこれら複数の熱絶縁層上にそれぞれ複数の発熱体薄膜を設けたアレイ構造になっており、前記信号源が、前記アレイ構造の超音波発生素子における各発熱体薄膜への電気信号の位相を制御することにより、前記各発熱体薄膜表面から発生する各超音波同士で互いに強め合う合成波の波面の進行方向を切り換え、この進行方向が切り換えられた超音波の反射波を前記超音波受波部で受波することにより、周囲の物体の走査を行い、この走査結果が周囲に物体が存在することを示すものであれば、前記信号源が、前記発熱体薄膜表面から動物駆逐用周波数の超音波を発生させるための周波数の電気信号を、前記発熱体薄膜に加えることを特徴とする。この構成では、例えば近づいて来た動物を非常に有効に駆逐することができる。
【００２０】
請求項１１記載の発明は、蛾の行動抑制用の発光部を備えた照明器具であって、超音波の波形パターンを記憶する超音波波形記憶部、この超音波波形記憶部に記憶された波形パターンに応じて超音波の波形信号を生成する信号発生部、およびこの信号発生部により生成された波形信号に応じて超音波を発生して出力する超音波発生部により構成される超音波発生装置と、前記発光部の点灯により前記超音波発生装置の超音波の出力タイミングを制御する制御部とを設け、前記超音波波形記憶部にコウモリが発信する超音波の波形パターンと略同一の波形パターンを記憶したことを特徴とする。
【００２１】
この構成では、発光部の光による蛾の行動抑制効果と、超音波の波形パターンをコウモリが発信するそれと略同一にすることで得られる防蛾効果とを組み合わせることで、防蛾効果をより一層高めることができる。つまり、簡単な構造で来た動物（蛾）を非常に有効に駆逐することができる。
【００２２】
請求項１２記載の発明は、請求項１１記載の照明器具において、前記超音波発生部は熱誘起音源を含み、前記信号発生部の超音波の周波数が目的とする周波数の１／２倍に設定されることを特徴とする。この構成では、熱誘起音源の出力周波数が入力電圧波形の２倍の周波数となる（電圧では２乗倍となる）ため、信号発生部の超音波の周波数を目的とする周波数の１／２倍（電圧では平方根値）に設定することにより、熱誘起音源から目的とする周波数の出力を得ることができる。
【００２３】
請求項１３記載の発明は、請求項１１記載の照明器具において、前記超音波発生部は熱誘起音源を含み、前記信号発生部は平方根回路を含むことを特徴とする。この構成では、超音波波形記憶部に目的とする超音波の周波数の波形パターンを記憶することにより、平方根回路で１／２倍の周波数となり（電圧では平方根値となり）、熱誘起音源の出力周波数がその２倍の周波数（電圧では２乗倍）になるので、熱誘起音源から目的とする周波数の出力を得ることができる。
【００２４】
請求項１４記載の発明は、請求項１１から１３のいずれかに記載の照明器具において、前記超音波発生装置は、基本波形を周波数変調した超音波を発信することを特徴とする。この構成では、蛾の天敵であるコウモリが発信する超音波の特徴である周波数変調の超音波を発信することができ、蛾を好適に追い払うことができる。
【００２５】
請求項１５記載の発明は、請求項１１から１３のいずれかに記載の照明器具において、前記超音波発生装置は、基本波形を振幅変調した超音波を発信することを特徴とする。この構成では、蛾の天敵であるコウモリが発信する超音波の特徴であるスイープ音を発信することができ、蛾を好適に追い払うことができる。
【００２６】
請求項１６記載の発明は、請求項１１から１３のいずれかに記載の照明器具において、前記超音波発生装置は、基本波の音圧が時系列的に増大する超音波を発信することを特徴とする。この構成では、蛾に対して天敵のコウモリを擬似的に接近させるような音響効果により、蛾を好適に追い払うことができる。
【００２７】
請求項１７記載の発明は、請求項１１から１６のいずれかに記載の照明器具において、前記超音波発生部の音源サイズが超音波の波長よりも短く、その超音波発生部にホーンが具備されていることを特徴とする。この構成では、効率よく超音波を発信することができる。
【発明の効果】
【００２８】
本発明によれば、簡単な構造で例えば、近づいて来た動物を非常に有効に駆逐したり、あるいは植物の成長を促したりすることができる。
【発明を実施するための最良の形態】
【００２９】
（第１実施形態）
図１は超音波発生装置の構成図、図２は同超音波発生装置の入出力説明図であり、これらの図を参照しながら本発明の第１実施形態について説明する。
【００３０】
第１実施形態の超音波発生装置には、特開平１１−３００２７４号公報（特許文献４）に記載されたデバイスが使用される。すなわち、図１に示すように、同超音波発生装置１は、シリコンなどの基板１１０上に、シリコンを陽極酸化してできるナノ結晶構造のポーラスシリコンまたは高分子材料膜などの熱絶縁層１１１を設けて、この熱絶縁層１１１上にアルミニウムなどの発熱体薄膜１１２を設けることにより形成される超音波発生素子１１と、この超音波発生素子１１の発熱体薄膜１１２に接続される信号源１２とを備えている。
【００３１】
この信号源１２は、周波数可変の電気信号を発熱体薄膜１１２に加えてこれを駆動することにより、電気信号の周波数に応じた周波数の超音波ＳＳＷを発熱体薄膜１１２の表面から発生させるものである。
【００３２】
ここで、超音波発生素子１１は、図２に示すように、信号源１２からの電気信号に応じて発熱体薄膜１１２の表面温度が変化して、その表面に接する空気層に温度変化を与えることにより、発熱体薄膜１１２から電気信号の周波数ｆの２倍の周波数（２ｆ）の圧力波を生み出して超音波を発生させる。このように、本実施形態の超音波発生素子１１は、機械振動を伴わない超音波音源となるため、共振周波数を持たず、周波数帯域が広くなる。
【００３３】
以上のように、超音波発生素子１１と、この発熱体薄膜１１２に接続され、周波数可変の電気信号を発熱体薄膜１１２に加えてこれを駆動することにより、電気信号の周波数ｆに応じた周波数２ｆの超音波を発熱体薄膜１１２の表面から発生させる信号源１２とを備えることにより、信号源１２の周波数ｆを変化させると、その周波数ｆの変化に応じて超音波の周波数２ｆが変化するから、複数の超音波発生装置を備える必要のない簡単な構造で、例えば、近づいて来た動物を非常に有効に駆逐したり、あるいは植物の成長を促したりすることができる。
【００３４】
より具体的には、蛾、蚊、はえ、ゴキブリなどの害虫およびネズミ、猫、猪、猿などの動物などの駆逐対象のうち、駆逐対象が異なれば有効な駆逐用周波数が異なることになり得るが、第１実施形態の超音波発生装置１によれば、それ１台で、駆逐対象に合わせて入力の電気信号の周波数ｆを制御することにより、超音波の周波数２ｆを各種有効な駆逐用周波数から最適な駆逐用周波数に設定することができるから、色々な駆逐対象を非常に有効に駆逐することができる。また、超音波の音圧強度を変えたり、超音波発生素子をアレイ構造にして各発熱体薄膜への電気信号の位相または周波数を制御することにより、慣れによる効果低減を防止することができるとともに、天敵の移動を擬似的に再現した超音波の発生も可能となる。さらに、上記と同様な技術により植物の成長促進も可能となる。
【００３５】
（第２実施形態）
図３は超音波発生装置の出力説明図であり、この図を参照しながら本発明の第２実施形態について説明する。
【００３６】
第２実施形態の超音波発生装置は、第１実施形態と同様に構成され、信号源１２が、発熱体薄膜１１２の表面から動物駆逐用周波数の超音波を発生させるための周波数の電気信号を、発熱体薄膜１１２に加えることを特徴とする。
【００３７】
ここで、駆逐対象に入る蛾とこの天敵について説明する。蛾は、大きな触角を持っており、この触角によって匂い分子を捕らえ、食物の所在を嗅ぎ付けたり、音を聞いたりする。蛾には、多くの天敵がおり、代表的なものは鳥、コウモリである。
【００３８】
コウモリは、自ら発生する超音波の反射波を受けて障害物や食物の所在を探知することができる能力を持っている。コウモリが実際に発生する超音波パターンは、２種類に分けられ、単なる周波数変調音（ＦＭ音）のパターンと、周波数定常音（ＣＦ音）と周波数変調音とを組み合わせたパターンとがある。周波数変調音を用いることで、より様々な情報を得ることができると言われている。このように、コウモリは定位音と呼ばれる超音波（パルス）を発し、標的から戻ってくるこだま（エコー）を聞き比べて標的についての様々な情報を得る。すなわち、エコーが戻ってくるまでの時間（エコー遅延時間）は標的までの距離、エコー周波数のドップラーシフトは標的との相対速度、エコーの振幅変調や周波数変調は羽ばたく昆虫の存在、エコーの強さは標的の大きさや距離、両耳間に到達するエコーの時間差と強度差は標的の水平方向の角度、外耳での反射によるエコーの干渉パターンは標的の垂直方向の角度を表すと考えられている。
【００３９】
このような超音波を補食時にコウモリが発するので、これを天敵とする蛾は、コウモリから身を守るためにその超音波に対して忌避行動をとる。このため、動物駆逐用周波数としてコウモリが発する超音波の周波数を使用すれば、近づいて来た蛾を有効に駆逐することが可能となる。
【００４０】
第２実施形態では、上記パターンのうち後者のパターン、つまり図３に示すように、３０ｋＨｚ近辺の周波数Ｈ１，６０ｋＨｚ近辺の周波数Ｈ２，９０ｋＨｚ近辺の周波数Ｈ３，１２０ｋＨｚ近辺の周波数Ｈ４を含み、継続時間が比較的長いこれらの周波数の各々が短時間で５〜３０ｋＨｚの周波数だけ連続的に減少するパターンが、発生するべき超音波の目標パターンとなる。
【００４１】
第２実施形態の超音波発生装置の信号源１２は、３０．５ｋＨｚから２４．５Ｈｚへ同じ時間タイミングで変調をかけて、３０．５ｋＨｚを含みこの周波数から２４．５Ｈｚの周波数まで変化する電気信号を発熱体薄膜１１２に加えることにより、発熱体薄膜１１２の表面から、最も強い周波数成分となるＨ２（＝６１ｋＨｚ）を含み、この周波数から４９Ｈｚの周波数まで変化するパターンの超音波を発生させる。
【００４２】
このように、発熱体薄膜１１２の表面から、コウモリが発する超音波の周波数に対応する動物駆逐用周波数の超音波を発生させるための周波数の電気信号を、発熱体薄膜１１２に加えることにより、近づいて来た蛾を非常に有効に駆逐することができる。
【００４３】
（第３実施形態）
図４は超音波発生装置の構成図、図５，図６は同超音波発生装置の動作説明図であり、これらの図を参照しながら本発明の第３実施形態について説明する。
【００４４】
第３実施形態の超音波発生装置１Ａは、図４に示すように、シリコンなどの基板１１０Ａ上に、シリコンを陽極酸化してできるナノ結晶構造のポーラスシリコンまたは高分子材料膜などの複数の熱絶縁層１１１を設けて、これら複数の熱絶縁層１１１上にそれぞれアルミニウムなどの複数の発熱体薄膜１１２を設けることにより形成されるアレイ構造の超音波発生素子１１Ａと、この超音波発生素子１１Ａの各発熱体薄膜１１２と個別の信号線を介して接続される信号源１２Ａとを備えている。
【００４５】
信号源１２Ａは、第１または第２実施形態の信号源との相違点として、超音波発生素子１１Ａにおける各発熱体薄膜１１２への電気信号の位相を制御することにより、各発熱体薄膜１１２の表面から発生する各超音波同士で互いに強め合う合成波の波面の進行方向を切り換える機能をさらに有している。
【００４６】
次に超音波発生装置１Ａの動作原理について説明する。図５に示すように、超音波発生素子１１Ａにおける互いに隣り合う２つの発熱体薄膜１１２に着目したとき、両発熱体薄膜１１２への電気信号の位相が同位相である場合、両発熱体薄膜１１２の表面から発生する各超音波同士で互いに強め合う合成波の波面の進行方向は、図５（ａ）に示すように、両発熱体薄膜１１２間の正面前方（矢印の方向）となる。これに対し、図５（ｂ）に示すように、右側の発熱体薄膜１１２への電気信号の位相が左側の発熱体薄膜１１２への電気信号の位相よりも遅れた場合、両発熱体薄膜１１２の表面から発生する各超音波同士で互いに強め合う合成波の波面の進行方向は、両発熱体薄膜１１２間の正面前方右寄り（矢印の方向）となる。これとは逆に左側の発熱体薄膜１１２への電気信号の位相の方が遅れた場合には両発熱体薄膜１１２間の正面前方左寄りとなる。ここに、超音波発生素子１１Ａにおける各発熱体薄膜１１２への電気信号の位相を制御することで、図６の例に示すように、各発熱体薄膜１１２の表面から発生する各超音波同士で互いに強め合う合成波の波面の進行方向を任意の方向に切り換えることができるのである。
【００４７】
以上のように超音波発生装置１Ａを構成して、発熱体薄膜１１２の表面からの超音波の送波方向を切り換える切換手段を持たせることにより、指向性の鋭い特性を有する超音波発生装置１Ａの超音波送波範囲を拡大することができる。
【００４８】
なお、本発明の切換手段は、超音波発生装置１Ａの構成に限らず、機械的に超音波発生素子の超音波の送波角度を切り換える構成でも、あるいはホーンを付加する構成などでもよい。
【００４９】
（第４実施形態）
図７は照明器具の構成図、図８は同照明器具の動作説明図であり、これらの図を参照しながら本発明の第４実施形態について説明する。
【００５０】
第４実施形態では、図７に示すように、第３実施形態の超音波発生装置１Ａと、超音波受波部２と、光源３と、点灯装置４と、制御部５とにより屋外用の照明器具を構成したことを特徴とする。
【００５１】
超音波受波部２は、超音波発生素子１１Ａが超音波を送波する方角からの超音波を受波するものであり、超音波センサにより構成される。
【００５２】
光源３は例えば放電灯などであり、点灯装置４は、例えば、商用電源を整流および平滑などして直流電力を得る直流電源部と、この直流電源部で得られた直流電力を交流電力に変換するインバータ部とにより構成され、インバータ部で変換された交流電力を光源３に供給することによりこれを点灯するものである。
【００５３】
制御部５は、例えばマイコンなどにより構成され、照明器具全般の制御などの処理を実行する。例えば、点灯装置４が光源３に交流電力を供給した時点から、照明器具に近づいて来た蛾を検出するべく、信号源１２Ａを通じて、所定周波数の超音波ＳＳＷを超音波発生素子１１Ａから送波するとともに、その超音波ＳＳＷの送波方向を切り換え、そして送波方向を切り換えた超音波ＳＳＷの反射波を超音波受波部２で受波することにより、周囲の物体の走査を行い、この走査結果が周囲に物体が存在することを示すものであれば、その物体を害虫の蛾であるとみなす処理（害虫検出処理）が繰り返し実行される。また、蛾であるとみなす処理結果となった場合には、害虫検出処理を停止した状態で、信号源１２Ａを通じて、超音波発生素子１１Ａの各発熱体薄膜１１２の表面から、第２実施形態で説明した動物駆逐用周波数の超音波を発生させるための周波数の電気信号を、各発熱体薄膜１１２に加える処理（害虫駆逐処理）が実行される。
【００５４】
このように構成される照明器具では、図８に示すように、例えばタイマまたは明るさセンサなどに応じて点灯装置４が光源３に交流電力を供給して光源３が点灯すると、害虫検出処理が繰り返し実行される。そして、その害虫検出処理で、害虫の蛾であるとみなす処理結果が得られた場合（図８に示すように超音波受波部２から「検出パルス」が出力された場合）には、害虫駆逐処理が実行される。これにより、照明器具に近づいて来た蛾が忌避行動を起こし、照明器具から離れるようになる。
【００５５】
なお、第４実施形態では、超音波発生装置を備える屋外用の照明器具を例示したが、本発明の超音波発生装置を害虫などを含む動物駆逐、植物の成長促進等に使用する形態としては、様々な形が考えられ、上記屋外用の照明器具に限定されるものではない。
【００５６】
（第５実施形態）
図９は超音波発生装置を含む照明器具の構成図、図１０は同照明器具に含まれる超音波発生装置から出力される超音波の波形例を示す図であり、これらの図を参照しながら本発明の第５実施形態について説明する。
【００５７】
生物は天敵から身を守るための防衛策を持っている。夜行性の生物は太陽の光を感知すると、行動が抑制されるという性質を持っている。また、夜蛾は、天敵であるコウモリが捕獲のために発信する超音波を受信すると、逃避もしくは落下といった行動を取って身を守る。このような各性質のうち、前者の光に関係する性質を利用した防蛾照明器具がすでに市販されているが、まだ完全とは言えないのが実情である。
【００５８】
そこで、第５実施形態の照明器具は、図９に示すように、例えば上記従来の市販の防蛾照明器具として、前述の光源３および点灯装置４により構成される蛾の行動抑制用の発光部３Ｂを備えるほか、防蛾効果をさらに向上すべく、夜蛾の性質を利用して防蛾用の超音波を発し、農作物を夜蛾の被害から守るための超音波発生装置１Ｂと、発光部３Ｂの点灯と同時に超音波発生装置１Ｂを起動してその超音波の出力タイミングを制御する制御部５Ｂとをさらに備えるのである。なお、照明器具に併用せずに、その超音波発生装置単独でもその超音波発生装置による防蛾効果が得られることは言うまでもない。また、タイマを用いて超音波発生装置１Ｂの起動と動作時間とを制御するようにしてもよい。
【００５９】
超音波発生装置１Ｂは、コウモリが発信する超音波の波形パターンと略同一の波形パターンを記憶する超音波波形記憶部１２Ｂと、この超音波波形記憶部１２Ｂに記憶された波形パターンに応じて超音波の波形信号を生成する信号発生部１３Ｂと、この信号発生部１３により生成された波形信号に応じて超音波を発生して出力する超音波発生部１１Ｂとを備えている。
【００６０】
超音波波形記憶部１２Ｂは、例えばメモリカードやハードディスクなどの記録媒体に予め記録されたコウモリの超音波音の波形パターンを読み出す再生装置（記録装置）により構成される。超音波波形記憶部１２Ｂには、基本波形を周波数変調した超音波（ＦＭ波）の波形パターンが記憶されている。コウモリの種類によって異なるが、例えばキクガシラコウモリの波形パターンを記憶する場合には、超音波波形記憶部１２Ｂに記憶するべき基本波の音響スペクトルは、ピークが５４ｋＨｚとなり、４０ｋＨｚ〜７０ｋＨｚの範囲のＦＭ波となる。また、超音波波形記憶部１２Ｂには、発信初期に基本波形を少しずつ振幅変調（増加変調）した超音波の波形パターンが記憶されている。コウモリの種類によって異なるが、例えばキクガシラコウモリの波形パターンを記憶する場合には、超音波波形記憶部１２Ｂに記憶するべき波形パターンは、照射を開始してから０．５ｍｓから１ｍｓ後に振幅がピークとなる。さらに、超音波波形記憶部１２Ｂには、コウモリの超音波音がコウモリの種類や生息地域によって異なるため、複数種類の超音波音がデータベース化されて記憶されている。なお、超音波波形記憶部１２Ｂは、上記再生装置に限らずパソコンでもよく、また同様の電気信号波形を生成する周波数解析・合成手段などでもよい。
【００６１】
信号発生部１３Ｂは、超音波波形記憶部１２Ｂから超音波の波形パターンを読み出すタイミングを決定するための１／ｆゆらぎ回路１３１およびランダム回路１３２と、超音波波形記憶部１２Ｂから読み出された超音波の波形パターンの信号を増幅するアンプ１３４と、このアンプ１４の増幅率を調整することにより超音波発生部１１Ｂから出力される超音波の音圧を調整する音圧調整回路１３５とにより構成されている。
【００６２】
１／ｆゆらぎ回路１３１は、図１０に示すように、超音波の各基本波間の時間間隔を決定し、ランダム回路１３２は、基本波列中の基本波の数と基本波列の間隔を決定する。超音波に対する慣れを防ぐべく、例えばキクガシラコウモリを疑似する場合には、基本波同志の間隔は、短い時で１ｍｓ、長い時で１０ｍｓとなる。
【００６３】
音圧調整回路１３５は、蛾に対して天敵のコウモリを擬似的に接近させるような音響効果を出すため、超音波発生部１１Ｂから出力される超音波の音圧を低い音圧から高い音圧に漸増させる。例えば、コウモリの秒速３ｍ程度の飛来速度を疑似する場合には、１秒間に１０倍程度で音圧を変化させる。蛾は３０ｄＢ以上の音圧を検知できるので、例えば音圧を３０ｄＢから５０ｄＢに変化させるのが望ましい。また、音圧調整回路１３５は、単調増加では効果が小さいので、コウモリが蛾を狙うときにとる行動（一直線に蛾に向かうのではなく、途中でする旋回等の行動）をまねて音圧を複雑に変化させるのがより望ましい。
【００６４】
超音波発生部１１Ｂは、例えば周波数帯域の広いスーパーツイータにより構成される。このようにスーパーツイータのオーディオスピーカを使用するのは、圧電セラミックのような音源では周波数帯域が狭いため、単一素子で本実施形態の超音波発生部を実現することが困難であり、制御が困難となる複数素子を使用しなければならないことによる。
【００６５】
また、超音波発生部１１Ｂには、ホーンが具備される。一般に、スピーカの振動面が媒質（空気）に音波を放射するときには、振動面が媒質からの反作用を受け、音が発生する。この場合、振動面の一辺（音源サイズ）を超音波の波長よりも長くすると、音の発生効率が向上する一方、短くすると、振動はしても周囲の空気がすぐ横に逃げ、空気に対する抵抗がなくなり、運動が仕事にならず、振動が媒質にうまく伝わらなくなるため、音の発生効率が悪化する。これを解決するために、先端ほど断面積が大きくなる形状を有するホーンが超音波発生部１１Ｂに具備される。
【００６６】
このように構成される照明器具では、従来の市販の防蛾照明器具としての発光部３Ｂに加えて、コウモリが発信する超音波の波形パターンに応じた超音波を発信する超音波発生装置１Ｂをさらに備えるので、防蛾効果をより一層高めることができる。つまり、簡単な構造で、近づいて来た動物（蛾）を非常に有効に駆逐することができるのである。
【００６７】
（第６実施形態）
図１１は超音波発生装置を含む照明器具の構成図であり、この図を参照しながら本発明の第６実施形態について説明する。
【００６８】
第６実施形態の照明器具は、第５実施形態との相違点として、図１１に示すように、スーパーツイータに代えて周波数帯域の広い熱誘起型音源を超音波発生部１１Ｃに使用し、信号発生部１３Ｂと同様の構成の信号発生部１３Ｃにおけるアンプ１３４の前段に、平方根回路１３３を備える構成となっている。
【００６９】
熱誘起型音源は、発熱体の発熱による媒質の膨張および収縮で超音波を発生させるため、電圧Ｖが熱量Ｗに変換されることになる。熱量Ｗは、発熱体の抵抗値をＲとすると、
Ｗ＝Ｖ2 ／Ｒ
の関係式で求められ、熱量Ｗ、すなわち出力される音の音圧変化は電圧Ｖの２乗に比例することになる。ここで、電圧Ｖを、Ｖ＝Ａｓｉｎθとすると、
Ｗ＝（Ａｓｉｎθ）2 ／Ｒ
＝Ａ2 （１−ｃｏｓ２θ）／２Ｒ
となり、出力される音の周波数は、入力信号の周波数の２倍となる。このような熱誘起型音源の出力特性のため、平方根回路１３３をアンプ１３４の前段に設ける。また、ｙ＝ｓｉｎθとすると、ｙは位相により正と負の場合があり、ｙが負の場合は平方根を求めることができないので、超音波波形記憶部１２Ｂから得られる信号にバイアス電圧を加えて正の値とし、平方根回路１３３で平方根波形が求められる。
【００７０】
以上のように、第６実施形態では、第５実施形態と同様に、目的とする超音波の波形パターンが記憶されている超音波波形記憶部１２Ｂから得られる信号が、平方根回路１３３で平方根値に処理され、その平方根値に処理された信号が超音波発生部１１Ｃで２乗されて出力されるので、目的とする超音波を出力することができる。これにより、第５実施形態と同様の効果を奏することができる。
【００７１】
なお、第５，第６実施形態では、基本波形を周波数変調した超音波の波形パターンおよび振幅変調した超音波の波形パターンが超音波波形記憶部１２Ｂに記憶される構成になっているが、これに限らず、それらと同様のコウモリの超音波音をＦＭ変調回路およびＡＭ変詞回路を用いて合成してもよい。
【００７２】
また、第５，第６実施形態では、４０ｋＨｚ〜７０ｋＨｚの範囲のＦＭ波を利用する構成になっているが４０ｋＨｚ〜９０ｋＨｚの範囲などのＦＭ波を利用する構成でもよい。
【図面の簡単な説明】
【００７３】
【図１】超音波発生装置の構成図である（第１実施形態）。
【図２】同超音波発生装置の入出力説明図である。
【図３】超音波発生装置の出力説明図である（第２実施形態）。
【図４】超音波発生装置の構成図である（第３実施形態）。
【図５】同超音波発生装置の動作説明図である。
【図６】同超音波発生装置の動作説明図である。
【図７】照明器具の構成図である（第４実施形態）。
【図８】同照明器具の動作説明図である。
【図９】超音波発生装置を含む照明器具の構成図である（第５実施形態）。
【図１０】同照明器具に含まれる超音波発生装置から出力される超音波の波形例を示す図である。
【図１１】超音波発生装置を含む照明器具の構成図である（第６実施形態）。
【符号の説明】
【００７４】
１，１Ａ，１Ｂ，１Ｃ  超音波発生装置
１１，１１Ａ  超音波発生素子
１１０，１１０Ａ  基板
１１１  熱絶縁層
１１２  発熱体薄膜
１２  信号源
２  超音波受波部
３  光源
３Ｂ  発光部
４  点灯装置
５，５Ｂ  制御部
【図１】
2004153797.tif 000003
【図２】
2004153797.tif 000004
【図３】
2004153797.tif 000005
【図４】
2004153797.tif 000006
【図５】
2004153797.tif 000007
【図６】
2004153797.tif 000008
【図７】
2004153797.tif 000009
【図８】
2004153797.tif 000010
【図９】
2004153797.tif 000011
【図１０】
2004153797.tif 000012
【図１１】
2004153797.tif 000013